(57)【要約】【課題】調剤台の表示部に表示される薬剤名が、作業者に対して反対向きに表示されると、薬剤名の読み間違いが増え、薬剤の取り揃え間違に通じる。【解決手段】薬剤名を表示する表示部１８と、人の個人識別情報を検出する個人識別情報検出部と、表示部１８および個人識別情報検出部を上面に配置した調剤台本体２０ａと、個人識別情報検出部で検出された個人識別情報より被検出者の認証を行う人認識部と、個人識別情報検出部で検出された個人識別情報より表示部１８に表示される薬剤名の表示方向を決定する表示方向決定部と、を備えた調剤台１１であり、調剤台１１の表示部１８に表示される薬剤名の表示方向と作業者の視線方向と同じような方向にして、薬剤取り揃え間違いが生じにくい調剤台１１を提供する。【選択図】図１
2011004778.tif 000002
【特許請求の範囲】
【請求項１】
薬剤名を表示する表示部と、個人識別情報を検出する個人識別情報検出部と、が配置された調剤台本体と、
前記個人識別情報より被検出者の認証を行う人認証部と、
前記個人識別情報に基づいて前記表示部に表示される薬剤名の表示方向を決定する表示方向決定部と、を備えた
調剤台。
【請求項２】
前記個人識別情報検出部は前記被検出者の指紋情報を検出する指紋検出部であり、
前記人認証部は、前記指紋検出部で検出された指紋情報より前記被検出者の認証を行う
請求項１記載の調剤台。
【請求項３】
前記個人識別情報検出部は静脈情報を検出する静脈検出部であり、
前記人認証部は、前記静脈検出部で検出された静脈情報より前記被検出者の認証を行う
請求項１記載の調剤台。
【請求項４】
前記個人識別情報検出部で検出された個人識別情報より前記被検出者の視線方向を算出する視線方向算出部をさらに備え、
前記表示方向決定部は、前記視線方向算出部で算出された視線方向より前記表示部に表示される薬剤名の表示方向を決定する
請求項１〜３いずれか１項に記載の調剤台。
【請求項５】
前記個人識別情報検出部で検出された個人識別情報より前記被検出者の指の方向を算出し、前記被検出者の指の方向に平行な方向を前記被検出者の視線方向として算出する
請求項４記載の調剤台。
【請求項６】
前記調剤台本体は、設置面に移動用の機構を有する
請求項１〜５いずれか１項に記載の調剤台。
【請求項７】
請求項１〜６いずれか１項に記載の調剤台と、
患者情報と紐付けられて薬剤の調剤情報が記録されている薬剤情報管理装置と、
前記調剤情報に基づいて薬剤が取り揃えられるトレイと、
前記調剤情報に基づいて前記トレイに一般薬剤を払い出す自動払い出し機と、
前記調剤台において前記トレイに取り揃える特殊薬剤が保管された薬剤棚と、で構成された
薬剤取り揃え支援システム。
【発明の詳細な説明】
【技術分野】
【０００１】
本発明は、薬剤の取り揃えを行う調剤台および薬剤取り揃え支援システムに関するものである。
【背景技術】
【０００２】
従来、病院の入院患者に投与する薬剤は、医師が作成した調剤情報に応じて、患者ごとのトレイに作業者が取り揃えている。
【０００３】
図９に示すように、従来の薬剤取り揃えにおいては、薬剤の取り揃えが行われる調剤台１の表示部２には、調剤情報に応じて薬剤名が表示される。そして、作業者は調剤台１と一体となった薬剤棚３（薬剤が保管された棚）から薬剤を取り出し、調剤台１で薬剤を取り揃えている（例えば、特許文献１参照）。
【０００４】
また、薬剤棚と一体となった調剤台ではなく、上面に表示部を備えた車輪付きの調剤台を用いることが考えられている。車輪付きの調剤台は、様々な薬剤棚の前に移動して薬剤の取り揃えを行うことができるので、多種の薬剤の取り揃えが可能となる。
【先行技術文献】
【特許文献】
【０００５】
【特許文献１】特開２００４−１８７９５８号公報
【発明の概要】
【発明が解決しようとする課題】
【０００６】
しかし、このような車輪付きの調剤台は、調剤台の四方のいずれに立っても表示部を覗くことができる反面、作業者の立ち位置によっては調剤台の表示部に表示される薬剤名が反対向きに見えたり、横向きに見えたりすることがある。
【０００７】
調剤台の表示部に表示される薬剤名が、作業者に対して反対向きに表示されると、薬剤名の判読方向と作業者の視線方向とが逆になり、薬剤名を読み間違い易くなる。
【０００８】
また、薬剤名の中には、読み間違い易いものがある。例えば、「タキソール」と「タキソテール」、「イソプロン」と「インプロヘン」、「ミオナール」と「ミナトール」等である。
【０００９】
このような薬剤名は、ただでさえ読み間違い易いが、薬剤名の判読方向と作業者の視線方向が異なると、さらに読み間違い易くなる。薬剤名の読み間違いは、薬剤の取り揃え間違いを引き起こしてしまう可能性があり、充分に留意する必要がある問題である。
【００１０】
そこで、本発明は、薬剤取り揃え間違いが生じにくい調剤台および薬剤取り揃え支援システムを提供することを目的とする。
【課題を解決するための手段】
【００１１】
この目的を達成するたに、本発明の調剤台は、薬剤名を表示する表示部と、個人識別情報を検出する個人識別情報検出部とが配置された調剤台本体と、前記個人識別情報検出部で検出された個人識別情報より被検出者の認証を行う人認証部と、前記個人識別情報検出部で検出された個人識別情報に基づいて前記表示部に表示される薬剤名の表示方向を決定する表示方向決定部と、を備えたことを特徴とする。
【発明の効果】
【００１２】
本発明は、調剤台の表示部に表示される薬剤名の表示方向を変えることで、薬剤名の読み間違いの発生を抑え、薬剤取り揃え間違いが生じにくい調剤台および薬剤取り揃え支援システムを提供することができる。
【図面の簡単な説明】
【００１３】
【図１】本発明の実施の形態１における薬剤取り揃え支援システムの概略図
【図２】同実施の形態１における調剤台と作業者とを上から見た図
【図３】同実施の形態１における調剤台のブロック図
【図４】同実施の形態１における調剤台の動作を示すフローチャート
【図５】同実施の形態１における視線方向に対する表示パターンを示す図
【図６】同実施の形態１における調剤台と、視線方向が９０度の作業者とを上から見た図
【図７】同実施の形態１における調剤台と、視線方向が４５度の作業者とを上から見た図
【図８】同実施の形態１における視線方向に対する別の表示パターンを示す図
【図９】従来の調剤台と一体となった薬剤棚の斜視図
【発明を実施するための形態】
【００１４】
以下、本発明を実施するための形態について、図面を参照しながら説明する。なお、以下の説明において、同じ構成には同じ符号を付して、適宜説明を省略している。
【００１５】
（実施の形態１）
図１は、本発明の実施の形態１における調剤台１１を含む薬剤取り揃え支援システム１２の概略図である。
【００１６】
本実施の形態１の薬剤取り揃え支援システム１２は、患者ごとの調剤情報に従ってトレイ１０に一般薬剤を払い出す自動払出機１４と、患者情報と紐付けられて薬剤の調剤情報が記録されている薬剤情報管理装置１５と、特定の人でなければ取り扱うことのできない特殊薬剤を取り揃える調剤台１１とからなる。そして、自動払出機１４と薬剤情報管理装置１５と調剤台１１は、ネットワーク１６で相互に繋がり情報交換を行う。ただし、調剤台１１とネットワーク１６の無線送受信部１７との間は、無線により繋がっている。
【００１７】
このような薬剤取り揃え支援システム１２を利用した薬剤取り揃え方法について、以下に詳細を説明する。
【００１８】
まず、薬剤情報管理装置１５から自動払出機１４へ調剤情報を送り、自動払出機１４は調剤情報に従ってトレイ１０の領域１３ａ、１３ｂ、１３ｃへ一般薬剤を払い出す。ただし、自動払出機１４がトレイ１０へ一般薬剤を払い出す直前に、自動払出機１４はトレイ１０に取り付けられたＲＦＩＤタグからトレイ識別番号を読み取り、このトレイ識別番号を薬剤情報管理装置１５へ送信する。そして、薬剤情報管理装置１５は、調剤情報とトレイ１０のトレイ識別番号とを紐付けて記録する。
【００１９】
なお、トレイ１０を領域１３ａ、１３ｂ、１３ｃに分けている理由は、一人の患者へ投薬する薬剤を、朝用（領域１３ａ）、昼用（領域１３ｂ）、夜用（領域１３ｃ）と分けているためである。よって、この場合は、調剤情報には、患者の朝用、昼用、夜用の投薬する薬剤情報が記録されている。なお、ここでは、トレイ１０が３つの領域に分かれている場合について説明しているが、領域数は３つに限られるものではなく、必要に応じて領域数は適宜設定される。
【００２０】
その後、一般薬剤が払い出されたトレイ１０は調剤台１１へ移され、作業者が表示部１８に表示される調剤情報に従ってトレイ１０に特殊薬剤を取り揃える。本実施の形態１では、特殊薬剤は薬剤棚１９ａ、１９ｂ、１９ｃに保存されており、この薬剤棚１９ａ、１９ｂ、１９ｃから取り出される。
【００２１】
なお、調剤台１１は、主に調剤台本体２０ａと、調剤台本体２０ａの上面に配置された表示部１８と、調剤台本体２０ａの下部に設けられた複数の車輪２０ｂからなる。調剤台１１が車輪２０ｂを備えることで、作業者が調剤台１１の位置を容易に動かすことができる。よって、作業者は、取り揃える薬剤が保管されている所（例えば、薬剤棚１９ａ、１９ｂ、１９ｃの近傍）に、トレイ１０を載置した状態で調剤台１１を移動させることができる。
【００２２】
図２は、本実施の形態１における調剤台と作業者とを上から見た図である。
【００２３】
薬剤棚１９ａ、１９ｂ、１９ｃの近傍で薬剤を取り揃える時、図２に示されるように、ＲＦＩＤタグ２１が取り付けられたトレイ１０は、表示部１８と並ぶように調剤台１１の上に置かれて、作業者２２によって、取り揃え作業が行われる。
【００２４】
ここで、調剤台１１の詳細な構成を、図３の調剤台１１のブロック図を用いて説明する。調剤台１１は、トレイ１０のＲＦＩＤタグ２１からトレイ識別番号を読取るトレイ検出部３１と、トレイ１０に取り揃える調剤情報を保持する調剤情報管理部３２と、トレイ１０に取り揃える特殊薬剤の薬剤名を表示する表示部１８とを有する。
【００２５】
さらに、調剤台１１は、作業者２２の個人識別情報のひとつである指紋情報を検出する指紋検出部３３（個人識別情報検出部）と、指紋情報より作業者２２が薬剤の取り揃えを許可されているか否かの認証を行う人認証部３４と、指紋情報より作業者２２の視線方向を算出する視線方向算出部３５と、を備える。
【００２６】
さらに、調剤台１１は、視線方向算出部３５より算出された作業者２２の視線方向より表示部１８に表示する薬剤名などの表示形式を決定する表示方向決定部３６と、調剤台１１と薬剤情報管理装置１５との間で情報交換を行う無線送受信部３７とを備える。
【００２７】
次に、図４のフローチャートを用い、作業者２２がトレイ１０に特殊薬剤を取り揃える時、調剤台１１の表示部１８に表示される薬剤名の表示方向を変更し、その判読方向を作業者の視線方向と同じようにする調剤台１１の動作について説明する。
【００２８】
トレイ１０を調剤台１１に載せた後、まず、作業者２２が実際に取り揃え作業を行なう時の作業位置（立ち位置）に立つ（ステップＳ００）。
【００２９】
そして、作業者２２は被検出者として例えば人差し指の指先を指紋入力部２３の表面に密着させる。指紋入力部２３は指紋検出部３３の一部であり、指紋検出部３３は作業者２２の人差し指の指紋情報を検出する（ステップＳ０１）。
【００３０】
そして、検出された指紋情報より、作業者２２が調剤台１１で薬剤取り揃え許可された人物か否かの認証が行われる。まず、指紋検出部３３で検出された作業者２２の指紋情報は、人認証部３４へ送られる。そして、人認証部３４は、作業者２２の指紋情報が調剤台１１で薬剤取り揃えが許可された人物の指紋情報か否かを、無線送受信部３７を介して薬剤情報管理装置１５へ問い合わせる。
【００３１】
一方、薬剤情報管理装置１５は、調剤台１１で薬剤取り揃えが許可された人物の指紋情報が基本指紋情報として登録されており、この基本指紋情報と調剤台１１から送られてくる作業者２２の指紋情報との照合が行われる。
【００３２】
そこで、薬剤情報管理装置１５は、人認証部３４からの問合せに応じ、検出された指紋情報と基本指紋情報との照合が行われる。なお、指紋の照合は、指紋の各特徴点（分岐点、端点、三角州など）の位置と隆線の方向を指紋の特徴として利用する方法で行わる。そして、指紋情報とは指紋の各特徴点の位置と隆線の方向が含まれた情報を意味する。
【００３３】
また、基本指紋情報の指紋方向と、検出された指紋情報の指紋方向とは必ずしも同じではない。よって、検出された指紋情報は、すこしずつ相対的に回転させながら角度を調整した後に、登録された指紋情報との照合が行われる（ステップＳ０２）。
【００３４】
また、この時、人認証部３４は、検出された指紋情報と基本指紋情報とが一致した時の回転角度（角度差）を一時的に記録しておく。なお、基本指紋情報は、指の方向（指の長軸方向）が薬剤名の基本表示方向（０度）に等しくなるなるように登録されている。
【００３５】
そして、照合の結果、検出された指紋情報が薬剤の取り揃えが許可された人物として登録されていた場合は、視線方向の算出へ進む（ステップＳ０３）。
【００３６】
ちなみに、視線方向とは、作業者２２が調剤台１１を見る向きのことであり、作業者２２が薬剤名を読む時には薬剤名の判読方向（表示方向）と作業者２２の視線方向が同じになるのが好ましい。
【００３７】
視線方向算出部３５は、人認証部３４に一時的に記録されている指紋情報を読み出し、この指紋情報と薬剤名の基本表示方向との角度差に基づいて指の方向を決定する。そして、視線方向算出部３５は指の方向から視線方向を算出する。なお、ここでは、表示部１８の基本表示方向を０度とし、そこから表示部１８の平面内で時計回りに回転させた場合の角度を、視線方向の角度としている。
【００３８】
ここでは、簡易的な方法として、指の方向と視線方向とがほぼ平行であるとして、視線方向算出部３５において、指の方向の値を視線方向の値として利用する。これは、人差し指の指先を指紋入力部２３の表面に密着させる時の指の方向と被検出者の顔の向き（しいては視線方向）とが同じことが多いためである。図２の状態では、指の方向は０度であるから、視線方向も０度である。
【００３９】
ただし、指の方向と視線方向とが常に必ず一致するわけではないので、指の方向以外の情報（人の位置等）を付加して、視線方向を補正してもよい。例えば、調剤台１１の側面に赤外線等を利用した人感センサーを付けておき、実際の人の位置と指の方向とから、被検出者の姿勢と被検出者の顔の向きを算出して、視線方向を算出する（ステップＳ０４）。
【００４０】
なお、ステップＳ０３での照合の結果、検出された指紋情報が薬剤の取り揃えが許可された人物として登録されていなかった場合は、表示部１８に「あなたは、この調剤台での薬剤の取り揃えを許可されていません。」と未登録メッセージが表示される（ステップＳ０９）。
【００４１】
次に、ステップＳ０４で算出された視線方向より、表示方向決定部３６は、表示部１８へ表示する薬剤名の表示方向を決定する。ちなみに、表示方向とは表示部１８に表示される文字列（薬剤名等）が最も読み易い方向、つまり文字列の判読方向を意味する。
【００４２】
作業者２２の視線方向と薬剤名の表示方向が一致するのが最もよいが、視線方向と表示方向との角度差が３０度程であれば、読み易さについては大きく変わらないと思われる。
【００４３】
ここで、図５に示すように、表示方向決定部３６には、８つの表示方向（８つの表示パターン）があり、視線方向が３６０度の中のどの角度であるかで表示方向を決定する。
【００４４】
例えば、視線方向が３３５度〜０度（３６０度）〜２５度であれば表示方向０度のパターンＡ、視線方向が２５度〜６５度であれば表示方向４５度のパターンＢ、視線方向が６５度〜１１５度であれば表示方向９０度のパターンＣである。なお、表示方向の変更によって、トレイ１０の領域１３ａ、１３ｂ、１３ｃに対応する領域エリアは、領域１３ａ、１３ｂ、１３ｃの対応を維持しつつ、領域エリア内の文字列のみを回転するようにしている（図５では、パターンＤ〜Ｈの画面表示例は省略する）。
【００４５】
なお、パターンＡとパターンＢは横書きで、パターンＣは縦書きとなっているが、これおは、表示エリアによって縦書きと横書きを使い分けているためであり、表示エリアの状況によってはパターンＣが縦書きであってもよい。
【００４６】
ここで、作業者２２の視線方向は０度であるから、表示方向決定部３６は視線方向が３３５度〜０度（３６０度）〜２５度の場合の表示パターンである、パターンＡを選択する（ステップＳ０５）。
【００４７】
そして、表示パターンが決定すると、トレイ検出部３１は、調剤台１１に載せられたトレイ１０のＲＦＩＤタグ２１によりトレイ識別番号を検出する（ステップＳ０６）。
【００４８】
なお、ＲＦＩＤタグ２１の検出は、トレイ検出部３１の一部であるアンテナ４１、４２より、ＲＦＩＤタグ２１の信号を受信して行われる。トレイ検出部３１はアンテナ４１，４２のどちらが受信したかを判断することができる。トレイ１０のＲＦＩＤタグ２１は、トレイ１０の側部の一方のみに存在するので、アンテナ４１、４２のどちらで信号を受信したことがわかれば、トレイ１０を調剤台１１に載せたトレイ１０の方向（設置方向）の識別が可能である。
【００４９】
図２では、アンテナ４１がＲＦＩＤタグ２１の信号を検出したので、トレイ１０は正方向で調剤台１１に載せられている。一方、アンテナ４２がＲＦＩＤタグ２１を検出したのであれば、トレイ１０は反対方向で調剤台１１に載せられることになる。
【００５０】
そして、調剤情報管理部３２は薬剤情報管理装置１５へ、トレイ検出部３１で検出されたトレイ識別番号より調剤情報を問い合わせ、その調剤情報を抽出する（ステップＳ０７）。
【００５１】
そして、調剤情報管理部３２は、表示部１８に調剤情報送り出す。さらに、調剤情報管理部３２は、トレイ検出部３１で検出されたトレイ１０の方向も表示部１８へ送信する。
【００５２】
こうして、表示部１８は、調剤台１１で取り揃えが必要な調剤情報をパターンＡの表示形式で表示する。この時、トレイ１０には自動払出機１４ですでに領域１３ａ（朝用）、領域１３ｂ（昼用）へ一般薬剤が払い出されている。トレイ１０は、調剤台１１に正方向、逆方向のどちらでも載せることができるので、間違った方向でトレイ１０に薬剤を取り揃えると、領域１３ａ、１３ｂ、１３ｃに取り揃えられる薬剤を間違えてしまう。
【００５３】
そのようなことがないように、トレイ検出部３１で認識したトレイ１０の方向を基に（正方向）、表示部１８の調剤情報は、正方向（上から朝、昼、夜の順番）で表示される。
【００５４】
もしも、トレイ検出部３１で反対方向と識別されていた場合は、表示部１８の調剤情報の表示は反対方向（上から夜、昼、朝の順番）で行われる。もっとも、トレイ１０がひとつの領域しかない場合は、トレイ１０の方向を識別しなくてもよい。
【００５５】
また、調剤情報には、自動払出機１４の薬剤情報も含まれているが、表示部１８は調剤台１１で取り揃えが必要な調剤情報のみ表示する。
【００５６】
このようにして、調剤情報を表示部１８に表示する（ステップＳ０８）。
【００５７】
なお、図６は、作業者２２の立ち位置はトレイ１０の手前であり、作業者２２の視線方向が９０度の時を示す。この場合、表示部１８は、図５における表示方向が９０度であるパターンＣで調剤情報を表示する。
【００５８】
また、図７は、作業者２２の立ち位置が調剤台１１の角であり、作業者２２の視線方向が４５度の時を示す。この場合、表示部１８は、図５における表示方向が４５度のパターンＢで調剤情報を表示する。
【００５９】
このようにして、表示部１８に表示される薬剤名を、作業者２２が読み易い表示方向に変更することで、薬剤の取り揃え間違いを抑えることができる。
【００６０】
なお、本実施の形態１の調剤台１１に似た、上面に表示部を備えた会議用のディプレイ装置が、従来、考えられている（例えば、特開２０００−１６３１７９号公報参照）。
【００６１】
これは、この会議用のディスプレイ装置に人が近づくと、人感センサーによって人の位置を認識して、人の位置に判読方向を合わせてウィンドウを表示するものである。しかし、このディプレイ装置は、個人識別情報検出部を備えていないため、単にディスプレイ装置に近づいた人の影響を受けてウィンドウの表示方向を変更してしまう。
【００６２】
よって、このディプレイ装置を調剤台１１に用いると、作業者２２以外の人がディスプレイ装置に近づくと、その人の影響を受けて、表示部の表示方向が変わってしまう。
【００６３】
一方、本実施の形態１の調剤台１１は、作業者２２の指紋認証を利用して、作業者２２が薬剤名を読み易い方向を決めるため、作業者２２以外の人が近くにいたとしても、それらの人の影響受けた薬剤名の表示をすることはない。
【００６４】
また、会議用のディスプレイ装置は、本実施の形態１のようにトレイ１０の方向を識別した上で文字列の表示を変更することは考えられていない。よって、複数の領域１３ａ、１３ｂ、１３ｃを有するトレイ１０の方向を反転させても、領域１３ａ、１３ｂ、１３ｃに追随して表示を変更することない。
【００６５】
この後、作業者２２は調剤台１１で薬剤を取り揃えが終わり、取り揃え終了ボタン（図示せず）を押して薬剤取り揃えを終了する。すると、トレイ１０に取り揃える調剤情報のすべての薬剤名（自動払出機１４で払い出された一般薬剤の薬剤名と調剤台１１で取り揃えた特殊薬剤の薬剤名）が表示される。
【００６６】
そして、作業者２２は、表示部１８に表示された薬剤名の薬剤がトレイ１０に取り揃えられているか、いないかの確認が行う。
【００６７】
なお、調剤台１１の表示方向は、指紋検出部３３が指紋情報を照合する時に決められる。
【００６８】
よって、指紋情報を照合する時に決まった表示方向で薬剤取り揃え作業、確認作業が行われるが、薬剤取り揃え作業を始めた後、作業途中で、表示方向を変更することも可能である。
【００６９】
例えば、図２に示す位置で作業者２２が薬剤取り揃え作業を行っており、この時、作業者２２が、表示部１８に表示される調剤情報の薬剤名の薬剤が薬剤棚１９ｂを中心に保管されていることに気づく場合がある。
【００７０】
この場合、作業者２２は調剤台１１と薬剤棚１９ｂとの間に立ち、表示方向変更ボタン（図示せず）を押した後、指紋入力部２３に人差し指を接触させると、指紋検出部３３で指紋情報が検出され、その指紋情報を基に表示方向決定部３６で表示部１８の表示方向がパターンＥに再設定される。
【００７１】
このように、作業者２２が途中で表示方向を再設定したい場合でも、調剤台１１は簡単に表示方向を変更することができる。
【００７２】
なお、上述した調剤台１１の利用方法は、主に薬剤取り揃え作業に関することであるが、作業者２２と異なる監査者によって、調剤情報どおりに薬剤がトレイ１０に取り揃えられているかの監査作業に用いてもよい。
【００７３】
つまり、薬剤の監査作業でも、まず、調剤台１１が、監査者の指紋情報を検出し、認証した後、調剤台１１の表示部１８に表示される調剤情報の薬剤名は監査者が見易い方向で表示され、薬剤名の読み間違いを減らすことができる。
【００７４】
なお、個人識別情報として指紋情報を用いた調剤台１１について上述したが、個人識別情報として指紋情報以外を用いてもよい。
【００７５】
たとえば、指の静脈情報を利用して視線方向を算出したり、網膜情報を検出し直接視線方向を測定したりして、表示部に表示される薬剤名の表示方向を決定してもよい。
【００７６】
なお、指の静脈情報を利用する場合、作業者２２の静脈情報を検出する静脈検出部を備え、指の静脈パターンを利用して本人確認を行う。指静脈検出部に指をかざすことで指の血管のパターンである静脈情報を抽出し、この静脈情報と、作業者２２が事前に登録した基本静脈情報との角度差より算出した作業者２２の指の方向より、視線方向算出部３５は視線方向を算出する。
【００７７】
この視線方向を利用して表示部に表示される薬剤名の表示方向を決定してもよい。
【００７８】
また、本実施の形態１における視線方向に対する別の表示パターンを示す図を、図８に示す。図８と図５との違いは、表示方向４５度（パターンＢ´）の場合に、文字だけでなく表示エリアも回転させている点である。例えば、人が認識し易い角度として３０〜６０度を設定し、この角度（パターンＢ´、Ｄ´、Ｆ´、Ｈ´）の場合にのみ、表示エリアも回転させることで、状況によっては、薬剤名が認識し易くなることもあると考えられる。
【００７９】
また、本発明を応用して、トレイ１０の外枠に対して斜めの仕切り板によってトレイ１０の領域が分けられている場合は、トレイ１０のＲＦＩＤにその情報を保存しておき、それに基づいて表示部１８での表示エリアの方向を変更することで、表示エリアが見易くなる。なお、この場合は、トレイ１０の仕切り板の角度に基づいて表示部１８での表示エリアの角度を補正し、視線方向に基づいて表示部１８での薬剤名の角度を補正することが望ましい。このように、前述の本実施の形態１と適宜組み合わせることで、薬剤名の読み間違いの発生を、より抑えることができると考えられる。
【産業上の利用可能性】
【００８０】
本発明にかかる調剤台は、薬剤名の読み間違いの発生を抑えることができるので、薬剤の取り揃え作業、監査作業に有用である。
【符号の説明】
【００８１】
１０    トレイ
１１    調剤台
１２    薬剤取り揃え支援システム
１３ａ、１３ｂ、１３ｃ  領域
１４    自動払出機
１５    薬剤情報管理装置
１６    ネットワーク
１７、３７  無線送受信部
１８    表示部
１９ａ、１９ｂ、１９ｃ  薬剤棚
２０ａ  調剤台本体
２０ｂ  車輪
２１    ＲＦＩＤタグ
２２    作業者
２３    指紋入力部
３１    トレイ検出部
３２    調剤情報管理部
３３    指紋検出部
３４    人認証部
３５    視線方向算出部
３６    表示方向決定部
４１、４２  アンテナ
【図１】
2011004778.tif 000003
【図２】
2011004778.tif 000004
【図３】
2011004778.tif 000005
【図４】
2011004778.tif 000006
【図５】
2011004778.tif 000007
【図６】
2011004778.tif 000008
【図７】
2011004778.tif 000009
【図８】
2011004778.tif 000010
【図９】
2011004778.tif 000011